(57)【要約】【課題】操作キーに割当てたアプリケーション機能のヘルプ表示と画面上のアプリケーション機能のヘルプ表示をユーザが混乱することなく表示できる情報処理装置及び情報処理方法を提供する。【解決手段】キー特定手段１０６が特定した操作キーとオブジェクト特定手段１０７が特定したオブジェクトと、記憶手段１０３が記憶している機能ヘルプ内容とオブジェクト実行指示手段１０５から取得したオブジェクトのヘルプ内容に基づいて、表示手段１０９における表示を制御する表示制御手段１０８とを具備する構成を採る。【選択図】図１
2011232908.tif 000002
【特許請求の範囲】
【請求項１】
物体との接触位置を検出する接触座標検出手段と、
キー入力手段と、
表示手段と、
前記接触位置より、表示座標を算出する表示座標算出手段と、
前記キー入力手段から構成されるキーの配置座標と機能ヘルプ内容を記憶する記憶手段
と、
前記接触位置とキーの配置座標と接触面積に基づいて、操作キーを特定するキー特定手
段と、
前記表示座標と前記キー入力手段から入力されたキーに基づいて、オブジェクトに対す
る処理の実行を指示するオブジェクト実行指示手段と、
前記表示座標と前記オブジェクト実行指示手段から出力されるオブジェクト座標情報に
基づいて、オブジェクトを特定するオブジェクト特定手段と、
前記キー特定手段が特定した操作キーと前記オブジェクト特定手段が特定したオブジェ
クトと、記憶手段が記憶している機能ヘルプ内容とオブジェクト実行指示手段から取得し
たオブジェクトのヘルプ内容に基づいて、前記表示手段における表示を制御する表示制御
手段と、
を具備する情報処理装置であって、
前記表示制御手段は、前記キー特定手段が特定した操作キーに対する前記物体の接触面積に基づいて表示制御する
ことを特徴とする情報処理装置。
【請求項２】
前記キー特定手段は、接触位置とキーの座標情報とを照合し前記物体の接触しているキーを特定する
ことを特徴とする請求項１記載の情報処理装置。
【請求項３】
前記キー特定手段は、接触位置とキーの座標情報とを照合し前記物体の接触しているキーが複数あった場合、接触面積の最も大きいキーを接触しているキーと特定する
ことを特徴とする請求項１記載の情報処理装置。
【請求項４】
前記表示制御手段は、特定したキーを領域分割し、分割した領域各々に表示するヘルプ内容を割当て、前記キーと前記物体との接触状態に基づいて表示制御する
ことを特徴とする請求項１記載の情報処理装置。
【請求項５】
前記表示制御手段は、特定したキーに前記物体が接触している間、一定間隔にてヘルプ内容を自動で切換える
ことを特徴とする請求項１記載の情報処理装置。
【請求項６】
物体との接触位置を検出する接触座標検出工程と、
キー入力内容を特定するキー入力内容特定工程と、
ヘルプ内容を表示する表示工程と、
前記接触位置より、表示座標を算出する表示座標算出工程と、
前記キー入力工程から構成されるキーの配置座標と機能ヘルプ内容を記憶する記憶手段
と、
前記接触位置とキーの配置座標と接触面積に基づいて、操作キーを特定するキー特定工
程と、
前記表示座標と前記キー入力工程から入力されたキーに基づいて、オブジェクトに対す
る処理の実行を指示するオブジェクト実行指示工程と、
前記表示座標と前記オブジェクト実行指示工程から出力されるオブジェクト座標情報に
基づいて、オブジェクトを特定するオブジェクト特定工程と、
前記キー特定工程が特定した操作キーと前記オブジェクト特定工程が特定したオブジェ
クトと、記憶手段が記憶している機能ヘルプ内容とオブジェクト実行指示工程から取得し
たオブジェクトのヘルプ内容に基づいて、前記表示工程における表示を制御する表示制御
工程と、
を具備する情報処理方法であって、
前記表示制御工程は、前記キー特定工程が特定した操作キーの接触面積によって表示制御する
ことを特徴とする情報処理方法。
【発明の詳細な説明】
【技術分野】
【０００１】
本発明は、情報処理装置、及び、情報処理方法に関する。
【背景技術】
【０００２】
従来、アプリケーションを画面上に表示した状態で、操作すべき項目をガイド表示させ、ガイド表示位置にカーソルを一定時間以上位置させた場合、操作項目に該当する概要情報を吹き出し形状で画面上に表示する操作支援装置があることが知られている（例えば、特許文献１参照）。
【０００３】
このものによれば、アプリケーションの操作を円滑・適切に進めることが出来る。
【０００４】
また、タッチセンサにおいて、相対座標系および絶対座標系の何れかでポインタが操作されているかを直感的に識別できるよう、タッチした位置に相対座標入力用の領域を表示し、相対座標入力用の領域の外は絶対座標入力領域とする情報処理装置が提案されている（例えば、特許文献２参照）。
【０００５】
このものによれば、絶対座標による直感的な操作と、相対座標入力による精度の高い入力を同時に、もしくは容易に切り換えながら行うことが出来る。
【先行技術文献】
【特許文献】
【０００６】
【特許文献１】特開２０００−１１２６０５号公報
【特許文献２】特開２００９−２８３０１３号公報
【発明の概要】
【発明が解決しようとする課題】
【０００７】
しかしながら、操作キーとタッチセンサを重ねた構造をとる入力装置を用いて、操作キーに予めアプリケーション機能を割当て、操作キーに物体が接触した時に機能のヘルプ内容を表示させる利用形態を考えた場合、特許文献１に記載されたものでは画面上のアプリケーションに関するヘルプのみしか表示させることが出来ないという問題があった。
【０００８】
また、特許文献２においては、相対座標入力用の領域と絶対座標入力用の領域を明確に分けており、前記入力装置に対してこの技術を適用させることが出来ないという問題もある。
【０００９】
本発明はこのような従来の問題に鑑みてなされたものであり、相対座標入力用の領域と絶対座標入力用の領域を明確に分けることなく、操作キーに割当てたアプリケーション機能のヘルプ表示と画面上のアプリケーションに関するヘルプ表示を、ユーザを混乱させることなく表示する情報処理装置、及び、情報処理方法を提供するものである。
【課題を解決するための手段】
【００１０】
本発明の情報処理装置は、物体との接触位置を検出する接触座標検出手段と、キー入力手段と、表示手段と、前記接触位置より、表示座標を算出する表示座標算出手段と、前記キー入力手段から構成されるキーの配置座標と機能ヘルプ内容を記憶する記憶手段と、前記接触位置とキーの配置座標とキー接触面積に基づいて、操作キーを特定するキー特定手段と、前記表示座標と前記キー入力手段から入力されたキーに基づいて、オブジェクトに対する処理の実行を指示するオブジェクト実行指示手段と、前記表示座標と前記オブジェクト実行指示手段から出力されるオブジェクト座標情報に基づいて、オブジェクトを特定するオブジェクト特定手段と、前記キー特定手段が特定した操作キーと前記オブジェクト特定手段が特定したオブジェクトと、記憶手段が記憶している機能ヘルプ内容とオブジェクト実行指示手段から取得したオブジェクトのヘルプ内容に基づいて、前記表示手段における表示を制御する表示制御手段とを具備する構成を採り、表示制御手段は、キー特定手段が特定した操作キーに対する物体の接触面積に基づいて表示制御することを特徴とする。
【００１１】
この構成により、指をずらしたり離したりすることで、キーのヘルプ表示がオブジェクトのヘルプ表示に切り替わるので、利用者がオブジェクトのヘルプ表示を見たいとき、キーのヘルプからオブジェクトのヘルプに切り替える操作が容易である。
【００１２】
また本発明の情報処理装置は、キー特定手段が接触位置とキーの座標情報とを照合し物体の接触しているキーを特定することを特徴とするものであってよい。
【００１３】
この構成により、正しく接触しているキーを特定することができる。
【００１４】
また本発明の情報処理装置は、キー特定手段が接触位置とキーの座標情報とを照合し物体の接触しているキーが複数あった場合、キー接触面積の最も大きいキーを接触しているキーと特定することを特徴とするものであってよい。
【００１５】
この構成により、接触状態により最も確からしいキーを特定することができる。
【００１６】
また本発明の情報処理装置は、表示制御手段は、特定したキーを領域分割し、分割した領域各々に表示するヘルプ内容を割当て、キーと物体との接触状態に基づいて表示制御することを特徴とするものであってよい。
【００１７】
この構成によればキーの所定の部分を触るので、ただキーを触るよりも意識して操作をすることにより見たいヘルプを確実に表示でき、かつユーザの混乱を避けることができる。
【００１８】
また本発明の情報処理装置は、表示制御手段は、特定したキーに物体が接触している間、一定間隔にてヘルプ内容を自動で切換えることを特徴とするものであってよい。
【００１９】
この構成によればキーへの触れ方に関係なく、該当キーにおける表示可能な２つのヘルプ内容が把握でき、また表示内容の切り替えが簡単にできる。
【００２０】
本発明の情報処理方法は、物体との接触位置を検出する接触座標検出工程と、キー入力内容を特定するキー入力内容特定工程と、ヘルプ内容を表示する表示工程と、前記接触位置より、表示座標を算出する表示座標算出工程と、前記キー入力工程から構成されるキーの配置座標と機能ヘルプ内容を記憶する記憶手段と、前記接触位置とキーの配置座標とキー接触面積に基づいて、操作キーを特定するキー特定工程と、前記表示座標と前記キー入力工程から入力されたキーに基づいて、オブジェクトに対する処理の実行を指示するオブジェクト実行指示工程と、前記表示座標と前記オブジェクト実行指示工程から出力されるオブジェクト座標情報に基づいて、オブジェクトを特定するオブジェクト特定工程と、前記キー特定工程が特定した操作キーと前記オブジェクト特定工程が特定したオブジェクトと、記憶手段が記憶している機能ヘルプ内容とオブジェクト実行指示工程から取得したオブジェクトのヘルプ内容に基づいて、前記表示工程における表示を制御する表示制御工程とを有する。
【００２１】
この方法によれば、特定した操作キーのキー接触面積によって表示制御することができる。
【発明の効果】
【００２２】
本発明の情報処理装置、及び、情報処理方法によれば、指をずらしたり離したりすることで、キーのヘルプ表示がオブジェクトのヘルプ表示に切り替わるので、利用者がオブジェクトのヘルプ表示を見たいとき、キーのヘルプからオブジェクトのヘルプに切り替える操作が容易である。
【図面の簡単な説明】
【００２３】
【図１】本発明の実施の形態１における情報処理装置の構成を示す機能ブロック図
【図２】本発明の実施の形態１におけるキー特定手段のキー特定処理を示すフローチャート
【図３】本発明の実施の形態１における表示制御手段の表示制御処理を示すフローチャート
【図４】本発明の実施の形態２におけるキー特定手段のキー特定処理を示すフローチャート
【図５】本発明の実施の形態３における表示制御手段の表示制御処理を示すフローチャート
【図６】本発明の実施の形態４における情報処理装置の構成を示す機能ブロック図
【図７】本発明の実施の形態４における表示制御手段の表示制御処理を示すフローチャート
【発明を実施するための形態】
【００２４】
以下、本発明の実施の形態について、図面を参照しながら説明する。
【００２５】
（実施の形態１）
以下、本発明の実施の形態１について説明する。
【００２６】
図１は、本発明の実施の形態１に係る情報処理装置の構成を示す機能ブロック図である。
【００２７】
図１において、情報処理装置は、接触座標検出手段１０１、キー入力手段１０２、記憶手段１０３、表示座標算出手段１０４、オブジェクト実行指示手段１０５、キー特定手段１０６、オブジェクト特定手段１０７、表示制御手段１０８、及び表示手段１０９を備えて構成される。
【００２８】
接触座標検出手段１０１は、物体との接触位置を検出し操作座標を出力する。具体的に接触座標検出手段１０１はタッチパッドやタッチパネル等から構成される。
【００２９】
キー入力手段１０２は、ユーザによるキー入力を行い、押下したキーを出力する。キー入力手段１０２はキーボードや携帯電話等の操作キー、または液晶画面に表示された擬似キーボードから構成されてよい。また前記接触座標検出手段とキー入力手段は積層構造をとってもよい。
【００３０】
記憶手段１０３は、キーの配置座標とキーの機能ヘルプ内容等を記憶する。
【００３１】
表示座標算出手段１０４は、接触座標検出手段１０１から出力される操作座標を基に、移動量を算出することでカーソルの表示座標を算出し、オブジェクト実行指示手段１０５とオブジェクト特定手段１０７へ出力する。
【００３２】
オブジェクト実行指示手段１０５は、画面上のオブジェクト情報を管理し、オブジェクトの座標情報とオブジェクトのヘルプ内容を出力する。オブジェクト実行指示手段１０５は、ウィンドウマネージャのようなウィンドウの概観や配置等を管理するシステムソフトウェアにより構成される。
【００３３】
キー特定手段１０６は、接触座標検出手段１０１から出力される操作座標と、記憶手段１０３から得られるキーの配置座標より操作キーを特定し、特定したキー識別子とキー接触面積を出力する。
【００３４】
オブジェクト特定手段１０７は、表示座標算出手段１０４からカーソルの表示座標を、オブジェクト実行指示手段１０５からオブジェクトの座標情報を受け取り、オブジェクトの特定結果を出力する。
【００３５】
表示制御手段１０８は、キー特定手段１０６から特定したキー情報と、オブジェクト特定手段１０７から特定したオブジェクト情報を受け取り、キー情報に基づくヘルプ内容かオブジェクト情報に基づくヘルプ内容のどちらのヘルプ内容を出力するかを決定し、決定したヘルプの内容を取得し表示手段１０９へ出力する。
【００３６】
表示手段１０９は、表示制御手段１０８から表示内容を受け取り、ヘルプ内容等を表示する。表示手段はディスプレイ等の出力装置で実現する。
【００３７】
図２は、本発明の実施の形態１に係るキー特定手段のキー特定処理を示すフローチャートである。図中、Ｓはフローの各ステップを示す。
【００３８】
ステップＳ２０１では、キー特定手段は、接触座標検出手段にて出力された操作座標を取得する。
【００３９】
ステップＳ２０２では、キー特定手段は、ステップＳ２０１にて取得した操作座標と記憶手段から得られるキーの配置座標とを照合し、キー識別子ＩＤとキー接触面積Ｄを算出し出力して本フローは終了する。
【００４０】
図３は、本発明の実施の形態１に係る表示制御手段の表示制御処理を示すフローチャートである。
【００４１】
ステップＳ３０１では、表示制御手段は、キー特定手段から出力されたキー識別子ＩＤとキー接触面積Ｄを取得する。
【００４２】
ステップＳ３０２では、表示制御手段は、オブジェクト特定手段から出力されたオブジェクト識別子を取得する。
【００４３】
ステップＳ３０３では、表示制御手段は、ステップＳ３０１で取得したキー接触面積Ｄと予め定めた閾値とを比較し、キー接触面積Ｄが予め定めた閾値より大きければステップＳ３０４へ、予め定めた閾値より小さければステップＳ３０５へそれぞれ進む。
【００４４】
ステップＳ３０４では、表示制御手段は、キー識別子に対応するヘルプ内容を記憶手段から取得し出力する。
【００４５】
ステップＳ３０５では、表示制御手段は、オブジェクト識別子に対応するヘルプ内容を記憶手段から取得し出力する。
【００４６】
このように、本実施の形態によれば、キーに対する物体のキー接触面積によって表示対象を切り替えすることができるため、表示切り替えを容易に実行できる。
【００４７】
（実施の形態２）
以下、本発明の実施の形態２について説明する。
【００４８】
本実施の形態は、ユーザが情報処理装置中の複数のキーに接触している場合における、表示に関するものである。ここでは説明を簡単にするため、ユーザが２つのキーに接触している場合を例に挙げて説明する。
【００４９】
本発明の実施の形態２に係る情報処理装置の構成は、実施の形態１で説明した図１と同様であるため、ここでは説明を省略する。
【００５０】
図４は、本発明の実施の形態２に係るキー特定手段のキー特定処理を示すフローチャートである。
【００５１】
ステップＳ４０１では、キー特定手段は、接触座標検出手段にて出力された操作座標を取得する。
【００５２】
ステップＳ４０２では、キー特定手段は、物体が触れているキーの数を算出する。前述の様に、本実施の形態では物体が触れているキーの数は、２つである。
【００５３】
ステップＳ４０３では、キー特定手段は、取得した操作座標とキーの座標情報とを照合し、接触している２つのキーのそれぞれのキー識別子ＩＤ１、キー接触面積Ｄ１、キー識別子ＩＤ２、キー接触面積Ｄ２を算出する。
【００５４】
ステップＳ４０４では、Ｓ４０３で算出したキー接触面積を比較し、キー接触面積Ｄ１が大きければ（ＹＥＳの場合）Ｓ４０５へ、キー接触面積Ｄ２が大きければＳ４０６（ＮＯの場合）へ進む。
【００５５】
ステップＳ４０５では、キー特定手段は、キー識別子ＩＤ１とキー接触面積Ｄ１を表示制御手段に出力する。
【００５６】
ステップＳ４０６では、キー特定手段は、キー識別子ＩＤ２とキー接触面積Ｄ２を表示制御手段に出力する。
【００５７】
本発明の実施の形態２に係る情報処理装置の表示制御手段の表示制御処理のフローは、実施の形態１と同様のフローであるため、ここでは説明を省略する。
【００５８】
このように、本実施の形態によれば、接触している物体のキー接触面積が大きい方のキーを、キーのヘルプ表示候補とする。したがって、見たいヘルプ内容を確実に表示させることができ、ユーザの混乱を避けることができる。
【００５９】
（実施の形態３）
以下、本発明の実施の形態３について説明する。
【００６０】
本実施の形態は、特定したキーを２つに領域分割し、分割した領域各々に表示対象を定義した発明である。ここでは説明を簡単にするため、キーを左右半々に分割した場合を例に挙げて説明する。
【００６１】
本発明の実施の形態３に係る情報処理装置の構成は、実施の形態１で説明した図１と同様であるため、ここでは説明を省略する。
【００６２】
本発明の実施の形態３に係る情報処理装置のキー特定手段のキー特定処理のフローは、実施の形態１と同様のフローであるため、ここでは説明を省略する。
【００６３】
図５は、本発明の実施の形態３に係る表示制御手段１０８の表示制御処理を示すフローチャートである。
【００６４】
ステップＳ５０１では、表示制御手段は、キー特定手段から出力されたキー識別子ＩＤとキー接触面積Ｄを取得する。
【００６５】
ステップＳ５０２では、表示制御手段は、オブジェクト特定手段から出力されたオブジェクト識別子を取得する。
【００６６】
ステップＳ５０３では、表示制御手段は、分割した領域のうち接触面積の大きいのはどちらか判断し、左側であればステップＳ５０４へ、右側であればステップＳ５０５へそれぞれ進む。
【００６７】
ステップＳ５０４では、表示制御手段は、キー識別子に対応するヘルプ内容を記憶手段から取得し出力する。
【００６８】
ステップＳ５０５では、表示制御手段は、オブジェクト識別子に対応するヘルプ内容を記憶手段から取得し出力する。
【００６９】
このように、本実施の形態によれば、キーを領域分割し各々に表示対象を定義し物体との接触状態によって表示制御する。例えばキー識別子に対応するヘルプ内容を表示する場合は画面上のカーソル右上に、オブジェクト識別子に対応するヘルプ内容を出力する場合はカーソルの左下に表示させる。したがって、キーに対する物体のキー接触状態によって表示対象を切り替えすることができるため、表示切り替えを容易に実行できる。
【００７０】
なお、本実施の形態では、キーを２つの領域に分割する方法として、キーを左右半々に分割した場合を例に挙げて説明したが、キーを上下に分割する等、キーをどのように２つの領域に分割しても良い。
【００７１】
（実施の形態４）
以下、本発明の実施の形態４について説明する。
【００７２】
図６は、本発明の実施の形態４に係る情報処理装置の構成を示す機能ブロック図である。
【００７３】
図６において、情報処理装置は、接触座標検出手段６０１、キー入力手段６０２、記憶手段６０３、表示座標算出手段６０４、オブジェクト実行指示手段６０５、キー特定手段６０６、オブジェクト特定手段６０７、タイマー６０８、表示制御手段６０９、及び表示手段６１０を備えて構成される。
【００７４】
接触座標検出手段６０１は、タッチセンサにおける物体との接触位置を検出し操作座標を出力する。具体的に接触座標検出手段は複数の操作キーとタッチセンサから構成される。
【００７５】
キー入力手段６０２は、ユーザによるキー入力を行い、押下したキーを出力する。キー入力手段はキーボードや携帯電話等の操作キー、または液晶画面に表示された擬似キーボードから構成されてよい。また前記接触座標検出手段とキー入力手段は積層構造をとってもよい。
【００７６】
記憶手段６０３は、キーの配置座標、キーの機能ヘルプ内容等を記憶する。
【００７７】
表示座標算出手段６０４は、接触座標検出手段６０１から出力される操作座標を基に、カーソルの表示座標の算出をし、オブジェクト実行指示手段６０５とオブジェクト特定手段６０７へ出力する。
【００７８】
オブジェクト実行指示手段６０５は、画面上のオブジェクト情報を管理し、オブジェクトの座標情報とオブジェクトのヘルプ内容を出力する。オブジェクト実行指示手段は、ウィンドウマネージャのようなウィンドウの概観や配置等を管理するシステムソフトウェアにより構成される。
【００７９】
キー特定手段６０６は、接触座標検出手段６０１から出力される操作座標と、記憶手段６０３から得られるキーの配置座標より操作キーを特定し、特定したキー識別子とキー接触面積を出力する。
【００８０】
オブジェクト特定手段６０７は、表示座標算出手段６０４からカーソルの表示座標を、オブジェクト実行指示手段６０５からオブジェクトの座標情報を受け取り、オブジェクトの特定結果を出力する。
【００８１】
タイマー６０８は、キー接触時間の計時を行い、一定時間経過したらタイマー割込みを表示制御手段６０９へ出力する。
【００８２】
表示制御手段６０９は、キー特定手段６０６から特定したキー情報と、オブジェクト特定手段６０７から特定したオブジェクト情報とを受け取る。また、表示制御手段６０９は、タイマー６０８からタイマー割込みをそれぞれ受け取り、カウンタＴを１，２，３、・・・とカウントアップする。また、表示制御手段６０９は、カウンタＴの値により、キー情報に基づくヘルプ内容かオブジェクト情報に基づくヘルプ内容のどちらのヘルプを出力するかを決定し、決定したヘルプの内容を取得し表示手段６１０へ出力する。
【００８３】
表示手段６１０は、表示制御手段６０９から表示内容を受け取り、ヘルプ内容等を表示する。表示手段はディスプレイ等の出力装置で実現する。
【００８４】
本発明の実施の形態４に係る情報処理装置のキー特定手段のキー特定処理のフローは、実施の形態１と同様のフローであるため、ここでは説明を省略する。
【００８５】
図７は、表示制御手段の表示制御処理を示すフローチャートである。
【００８６】
ステップＳ７０１では、表示制御手段は、オブジェクト特定手段から出力されたオブジェクト識別子を取得する。
【００８７】
ステップＳ７０２では、表示制御手段は、キー特定手段から出力されたキー識別子ＩＤとキー接触面積Ｄを取得する。
【００８８】
ステップＳ７０３では、表示制御手段は、ステップＳ７０２にてキー接触面積Ｄを算出した結果から、キー接触面積Ｄが０より大きければステップＳ７０４へ、そうでなければＳ７０９へ進む。本ステップでは、Ｓ７０２より物体との接触状態の変化を検出し、その結果、物体からキーが離れた場合Ｓ７０９へ進みフローを終了させる。接触し続けている場合はＳ７０４へ進みフローを繰り返す。
【００８９】
ステップＳ７０４では、表示制御手段は、タイマーからタイマー割込みを取得する。
【００９０】
ステップＳ７０５では、表示制御手段は、カウンタＴに１を加算する。
【００９１】
ステップＳ７０６では、表示制御手段は、カウンタＴが偶数かどうかを判定し、ＹＥＳ（カウンタＴが偶数）であればＳ７０７へ、ＮＯ（カウンタＴが奇数）であればＳ７０８へ進む。
【００９２】
ステップＳ７０７では、表示制御手段は、オブジェクト識別子に対応するヘルプ内容を記憶手段から取得し出力し、ステップＳ７０２へ戻る。
【００９３】
ステップＳ７０８では、表示制御手段は、キー識別子に対応するヘルプ内容を記憶手段から取得し出力し、ステップＳ７０２へ戻る。
【００９４】
ステップＳ７０９では、表示制御手段は、オブジェクト識別子に対応するヘルプ内容を記憶手段から取得し出力して本フローは終了する。
【００９５】
このように、本実施の形態によれば、カウンタＴが偶数か、奇数かでヘルプの表示内容を切り換えることが出来る。つまり、タイマーを用いてヘルプの表示内容を一定期間で交互に切り換えて表示することができる。したがって、キーの触れ方に関係なく該当キーにおける２つのヘルプ内容が把握でき、ユーザがヘルプ内容の表示の切り換える必要がなく容易である。
【００９６】
なお、本実施の形態では、カウンタＴが偶数の場合、オブジェクト識別子に対応するヘルプ内容を表示し、カウンタＴが奇数の場合、キー識別子に対応するヘルプ内容を表示することとして説明したが、もちろん、カウンタＴによって表示する内容を逆にしても良い。つまり、カウンタＴが偶数の場合、キー識別子に対応するヘルプ内容を表示し、カウンタＴが奇数の場合、オブジェクト識別子に対応するヘルプ内容を表示することとしても良い。
【００９７】
なお、本実施の形態１から本実施の形態４において、ディスプレイ等への表示を行う表示装置を出力装置の例として説明したが、音声による出力装置であっても良い。つまり、ヘルプ内容を表示に代えて、音声で出力することとしても良い。この場合、情報処理装置内に新たに音声出力制御手段と音声出力手段を追加することによって実現しても良いし、表示制御手段を音声出力制御手段に置き換え、表示手段を音声出力手段に置き換えることによって実現しても良い。
【００９８】
また、本実施の形態１から本実施の形態４において、表示制御手段は、キー情報に基づくヘルプ内容か、オブジェクト情報に基づくヘルプ内容のどちらかをヘルプ内容を出力することとして説明したが、両方のヘルプ内容表示し、表示制御手段によって決定されたヘルプ内容の方を点滅表示するように実施しても良い。
【００９９】
また、本実施の形態１から本実施の形態４において、ヘルプ内容の出力を行うにあたり、点滅による表示と音声出力、または、どちらか一方のみの表示と音声出力を組み合わせて行う等、どちらか一方のみの表示、点滅表示、音声出力をどのように組み合わせて行なっても良い。
【産業上の利用可能性】
【０１００】
本発明は、情報処理装置のユーザが意識してキーを触っているとき、指のキー接触面積に応じて、キーのヘルプのみを表示するので、オブジェクトのヘルプが表示されることがないため、ヘルプの表示に混乱が生じづらく、コンピュータ等の情報装置のユーザに有用である。
【０１０１】
また、本発明にかかる情報処理装置及び情報処理方法によれば、ショートカットキーの理解が容易に出来、コンピュータ等の情報装置のユーザに有用である。
【符号の説明】
【０１０２】
１０１、６０１    接触座標検出手段
１０２、６０２    キー入力手段
１０３、６０３    記憶手段
１０４、６０４    表示座標算出手段
１０５、６０５    オブジェクト実行指示手段
１０６、６０６    キー特定手段
１０７、６０７    オブジェクト特定手段
１０８、６０９    表示制御手段
１０９、６１０    表示手段
６０８    タイマー
【図１】
2011232908.tif 000003
【図２】
2011232908.tif 000004
【図３】
2011232908.tif 000005
【図４】
2011232908.tif 000006
【図５】
2011232908.tif 000007
【図６】
2011232908.tif 000008
【図７】
2011232908.tif 000009